(57)【要約】【課題】左下肢と右下肢とで兼用する場合であっても、体表面の適切な箇所に電極を接触することができる電気治療器を提供する。【解決手段】電気治療器１００は、帯状部材２０と、第１電極部４１および第２電極部４２と、帯状部材２０を右下肢に巻付ける場合に、右下肢の特定の位置に位置合わせすることにより、第１電極部４１を第１目標位置に導くとともに第２電極部４２を第２目標位置に導くための第１マーク部３１と、帯状部材２０を左下肢に巻付ける場合に、左下肢の特定の位置に位置合わせすることにより、第１電極部４１を第３目標位置に導くとともに第２電極部４２を第４目標位置に導くための第２マーク部３２と、を備える。【選択図】図２
2019103735.tif 000002
【特許請求の範囲】
【請求項１】
使用者の右下肢および左下肢のいずれにも巻付可能に構成された帯状部材と、
前記帯状部材が右下肢または左下肢に巻付けられた巻付状態において使用者の体表面に接触するように前記帯状部材に支持され、使用者に電流を流すための第１電極部および第２電極部と、
前記帯状部材を右下肢に巻付ける場合に、右下肢の特定の位置に位置合わせすることにより、前記第１電極部を右下肢の第１目標位置に導くとともに前記第２電極部を右下肢の第２目標位置に導くための第１マーク部と、
前記帯状部材を左下肢に巻付ける場合に、左下肢の特定の位置に位置合わせすることにより、前記第１電極部を左下肢の第３目標位置に導くとともに前記第２電極部を左下肢の第４目標位置に導くための第２マーク部と、を備える電気治療器。
【請求項２】
前記帯状部材は、前記巻付状態において周方向となる長さ方向と、前記長さ方向に直交する幅方向を有し、
前記第１マーク部は、前記幅方向における前記帯状部材の一端側および他端側のいずれかに設けられ、
前記第２マーク部は、前記幅方向における前記帯状部材の前記一端側および前記他端側のいずれかに設けられる、請求項１に記載の電気治療器。
【請求項３】
前記帯状部材は、前記巻付状態において周方向となる長さ方向と、前記長さ方向に直交する幅方向を有し、
前記第１マーク部および前記第２マーク部は、前記長さ方向にずれて配置されている、請求項１または２に記載の電気治療器。
【請求項４】
前記第１電極部は、前記長さ方向における前記第１マーク部と前記第２マーク部との間の中間部を通過し前記幅方向に沿って延在する中間軸に対して前記第１マーク部が位置する側に設けられ、
前記第２電極部は、前記中間軸に対して前記第２マーク部が位置する側に設けられる、請求項３に記載の電気治療器。
【請求項５】
前記第２マーク部側に位置する前記第１電極部の端部は、前記第１マーク部の中心を前記幅方向に沿って通過する第１中心線上または前記第１中心線に対して前記第２電極部が位置する側とは反対側に位置し、
前記第１マーク部側に位置する前記第２電極部の端部は、前記第２マーク部の中心を前記幅方向に沿って通過する第２中心線上または前記第２中心線に対して前記第１電極部が位置する側とは反対側に位置する、請求項４に記載の電気治療器。
【請求項６】
前記帯状部材は、前記巻付状態において使用者の体表面に対向する第１主面と前記第１主面と反対側に位置する第２主面とを含み、
前記第１マーク部および前記第２マーク部は、前記第２主面上に設けられている、請求項１から５のいずれか１項に記載の電気治療器。
【請求項７】
前記第１電極部および前記第２電極部に電流を供給するための電流供給部および内部に前記電流供給部を収容する筐体を含む本体部をさらに備え、
前記筐体は、前記第２主面側に配置され、
前記帯状部材は、前記巻付状態において周方向となる長さ方向を有し、
前記長さ方向に平行な第１方向における前記筐体の一方側の端部は、前記第１方向において前記一方側に向かうにつれて前記第２主面から遠ざかるように構成され、
前記第１方向における前記筐体の他方側の端部は、前記第１方向において前記他方側に向かうにつれて前記第２主面から遠ざかるように構成され、
前記第１マーク部は、前記筐体を正面から見た場合に前記筐体の前記一方側の前記端部に重なる部分の前記第２主面上に設けられ、
前記第２マーク部は、前記筐体を正面から見た場合に前記筐体の前記他方側の前記端部に重なる部分の前記第２主面上に設けられている、請求項６に記載の電気治療器。
【請求項８】
前記第１電極部および前記第２電極部に電流を供給するための電流供給部および内部に前記電流供給部を収容する筐体を含む本体部をさらに備え、
前記帯状部材は、前記巻付状態において使用者の体表面に対向する第１主面と前記第１主面と反対側に位置する第２主面とを含み、
前記筐体は、前記第２主面側に配置され、
前記第１マーク部および前記第２マーク部は、前記本体部に設けられている、請求項１から５のいずれか１項に記載の電気治療器。
【請求項９】
前記第１マーク部および前記第２マーク部は、前記第２主面に対向する前記筐体の対向面とは異なる部分の前記筐体の表面に設けられている、請求項８に記載の電気治療器。
【請求項１０】
前記第１マーク部および前記第２マーク部は、互いに意匠が異なる、請求項１から９のいずれか１項に記載の電気治療器。
【請求項１１】
前記巻付状態において、前記第１電極部が使用者の体表面上において接触するデルマトームと前記第２電極部が使用者の体表面上において接触するデルマトームとが、異なる、請求項１から１０のいずれか１項に記載の電気治療器。
【請求項１２】
使用者の正面から見た場合に右膝蓋骨の中心を右下肢の長さ方向に沿って通過する第１仮想線に前記第１マーク部が重なるように、前記帯状部材を右膝の下方に巻付けた第１巻付状態において、前記第１電極部の上端および前記第２電極部の上端が右膝蓋骨の下端から１０ｍｍ下方に位置し、前記第２マーク部側に位置する前記第１電極部の端部が前記第１仮想線に重なり、前記第１マーク部側に位置する前記第２電極部の端部が、前記第２マーク部側に位置する前記第１電極部の端部から右下肢の内側に向けて３０ｍｍ離れて位置し、
使用者の正面から見た場合に左膝蓋骨の中心を左下肢の長さ方向に沿って通過する第２仮想線に前記第２マーク部が重なるように、前記帯状部材を左膝の下方に巻付けた第２巻付状態において、前記第１電極部の上端および前記第２電極部の上端が左膝蓋骨の下端から１０ｍｍ下方に位置し、前記第１マーク部側に位置する前記第２電極部の端部が前記第２仮想線に重なり、前記第２マーク部側に位置する前記第１電極部の端部が、前記第１マーク部側に位置する前記第２電極部の端部から左下肢の内側に向けて３０ｍｍ離れて位置する、請求項１から１１のいずれか１項に記載の電気治療器。
【発明の詳細な説明】
【技術分野】
【０００１】
本開示は、電気治療器に関する。
【背景技術】
【０００２】
従来、コリや痛みを緩和する電気治療器が知られている。このような電気治療器は、腹部や背中などの身体の表面に電極部を接触させ、当該電極部を介して筋肉に対して電気信号を出力することにより刺激を与える。
【０００３】
たとえば、特表２０１６−５３３２５４号公報（特許文献１）には、主として排泄物排泄機能不全の治療を目的として、電気刺激を身体に与える電気刺激装置が与えられている。この電気刺激装置にあっては、腰を後方側から覆う第１部分と、前側下腹部を前方側から覆う第２部分とを含むベルトを使用者の腰回りに巻付ける。第１部分および第２部分には、使用者の体表面に接触するように複数の電極部が設けられている。また、第１部分には、位置合わせパッドが設けられている。当該位置合わせパッドを背骨に重ねることにより、体表面の適切な箇所に複数の電極部を接触させることができる。
【先行技術文献】
【特許文献】
【０００４】
【特許文献１】特表２０１６−５３３２５４号公報
【発明の概要】
【発明が解決しようとする課題】
【０００５】
特許文献１に記載の電気刺激装置は胴体の下部に巻付ける構成であるが、治療部位によっては、胴体ではなく、左下肢または右下肢に電気刺激装置を巻き付けたい場合がある。左下肢と右下肢とでは電気で刺激を与えたい位置が異なるため、何ら手立てなく一つの電気刺激装置を左下肢と右下肢とで兼用する場合には、体表面の適切な箇所に電極部を接触させることが困難となる。一方で、左下肢用の電気刺激装置および右下肢用の電気刺激装置をそれぞれ製造する場合には、製造コストが増加してしまう。
【０００６】
本開示は、上記のような問題に鑑みてなされたものであり、本開示の目的は、左下肢と右下肢とで兼用する場合であっても、体表面の適切な箇所に電極部を接触することができる電気治療器を提供することにある。
【課題を解決するための手段】
【０００７】
本開示に基づく電気治療器は、使用者の右下肢および左下肢のいずれにも巻付可能に構成された帯状部材と、上記帯状部材が右下肢または左下肢に巻付けられた巻付状態において使用者の体表面に接触するように上記帯状部材に支持され、使用者に電流を流すための第１電極部および第２電極部と、上記帯状部材を右下肢に巻付ける場合に、右下肢の特定の位置に位置合わせすることにより、上記第１電極部を右下肢の第１目標位置に導くとともに上記第２電極部を右下肢の第２目標位置に導くための第１マーク部と、上記帯状部材を左下肢に巻付ける場合に、左下肢の特定の位置に位置合わせすることにより、上記第１電極部を左下肢の第３目標位置に導くとともに上記第２電極部を左下肢の第４目標位置に導くための第２マーク部と、を備える。
【０００８】
上記本開示に基づく電気治療器にあっては、上記帯状部材は、上記巻付状態において周方向となる長さ方向と、上記長さ方向に直交する幅方向を有することが好ましい。この場合には、上記第１マーク部は、上記幅方向における上記帯状部材の一端側および他端側のいずれかに設けられていればよく、上記第２マーク部は、上記幅方向における上記帯状部材の上記一端側および上記他端側のいずれかに設けられていればよい。
【０００９】
上記本開示に基づく電気治療器にあっては、前記帯状部材は、前記巻付状態において周方向となる長さ方向と、前記長さ方向に直交する幅方向を有することが好ましい。この場合には、上記第１マーク部および上記第２マーク部は、上記長さ方向にずれて配置されていてもよい。
【００１０】
上記本開示に基づく電気治療器にあっては、上記第１電極部は、上記長さ方向における上記第１マーク部と上記第２マーク部との間の中間部を通過し上記幅方向に沿って延在する中間軸に対して上記第１マーク部が位置する側に設けられていることが好ましく、上記第２電極部は、上記中間軸に対して上記第２マーク部が位置する側に設けられることが好ましい。
【００１１】
上記本開示に基づく電気治療器にあっては、上記第２マーク部側に位置する上記第１電極部の端部は、上記第１マーク部の中心を上記幅方向に沿って通過する第１中心線上または上記第１中心線に対して上記第２電極部が位置する側とは反対側に位置することが好ましく、上記第１マーク部側に位置する上記第２電極部の端部は、上記第２マーク部の中心を上記幅方向に沿って通過する第２中心線上または上記第２中心線に対して上記第１電極部が位置する側とは反対側に位置することが好ましい。
【００１２】
上記本開示に基づく電気治療器にあっては、上記帯状部材は、上記巻付状態において使用者の体表面に対向する第１主面と上記第１主面と反対側に位置する第２主面とを含むことが好ましい。この場合において、上記第１マーク部および上記第２マーク部は、上記第２主面上に設けられていてもよい。
【００１３】
上記本開示に基づく電気治療器は、上記第１電極部および上記第２電極部に電流を供給するための電流供給部および内部に上記電流供給部を収容する筐体を含む本体部をさらに備えていてもよい。この場合には、上記筐体は、上記第２主面側に配置されることが好ましい。前記帯状部材は、前記巻付状態において周方向となる長さ方向を有することが好ましい。また、上記長さ方向に平行な第１方向における上記筐体の一方側の端部は、上記第１方向において上記一方側に向かうにつれて上記第２主面から遠ざかるように構成されることが好ましく、上記第１方向における上記筐体の他方側の端部は、上記第１方向において上記他方側に向かうにつれて上記第２主面から遠ざかるように構成されることが好ましい。さらに、上記第１マーク部は、上記筐体を正面から見た場合に上記筐体の上記一方側の上記端部に重なる部分の上記第２主面上に設けられることが好ましく、上記第２マーク部は、上記筐体を正面から見た場合に上記筐体の上記他方側の上記端部に重なる部分の上記第２主面上に設けられていることが好ましい。
【００１４】
上記本開示に基づく電気治療器は、上記第１電極部および上記第２電極部に低周波電流を供給するための電流供給部および内部に上記電流供給部を収容する筐体を含む本体部をさらに備えていてもよい。この場合には、上記帯状部材は、上記巻付状態において使用者の体表面に対向する第１主面と上記第１主面と反対側に位置する第２主面とを含むことが好ましく、上記筐体は、上記第２主面側に配置されることが好ましい。上記第１マーク部および上記第２マーク部は、上記本体部に設けられていてもよい。
【００１５】
上記本開示に基づく電気治療器にあっては、上記第１マーク部および上記第２マーク部は、上記第２主面に対向する上記筐体の対向面とは異なる部分の上記筐体の表面に設けられていてもよい。
【００１６】
上記本開示に基づく電気治療器にあっては、上記第１マーク部および上記第２マーク部は、互いに意匠が異なることが好ましい。
【００１７】
上記本開示に基づく電気治療器にあっては、上記巻付状態において、上記第１電極部が使用者の体表面上において接触するデルマトームと上記第２電極部が使用者の体表面上において接触するデルマトームとが、異なることが好ましい。
【００１８】
上記本開示に基づく電気治療器にあっては、使用者の正面から見た場合に右膝蓋骨の中心を右下肢の長さ方向に沿って通過する第１仮想線に上記第１マーク部が重なるように、上記帯状部材を右膝の下方に巻付けた第１巻付状態において、上記第１電極部の上端および上記第２電極部の上端が右膝蓋骨の下端から１０ｍｍ下方に位置し、上記第２マーク部側に位置する上記第１電極部の端部が上記第１仮想線に重なり、上記第１マーク部側に位置する上記第２電極部の端部が、上記第２マーク部側に位置する上記第１電極部の端部から右下肢の内側に向けて３０ｍｍ離れて位置することが好ましい。また、使用者の正面から見た場合に左膝蓋骨の中心を左下肢の長さ方向に沿って通過する第２仮想線に上記第２マーク部が重なるように、上記帯状部材を左膝の下方に巻付けた第２巻付状態において、上記第１電極部の上端および上記第２電極部の上端が左膝蓋骨の下端から１０ｍｍ下方に位置し、上記第１マーク部側に位置する上記第２電極部の端部が上記第２仮想線に重なり、上記第２マーク部側に位置する上記第１電極部の端部が、上記第１マーク部側に位置する上記第２電極部の端部から左下肢の内側に向けて３０ｍｍ離れて位置することが好ましい。
【発明の効果】
【００１９】
本開示によれば、左下肢と右下肢とで兼用する場合であっても、体表面の適切な箇所に電極部を接触させることができる電気治療器を提供することができる。
【図面の簡単な説明】
【００２０】
【図１】実施の形態に係る電気治療器の巻付状態を示す斜視図である。
【図２】実施の形態に係る電気治療器の分解斜視図である。
【図３】実施の形態に係る電気治療器における第１マーク部および第２マーク部と第１電極部および第２電極部の位置関係を示す平面図である。
【図４】実施の形態に係る電気治療器を右膝の下方に巻付けた巻付状態を示す図である。
【図５】図４に示す巻付け状態において第１電極部および第２電極部が体表面に接触する位置を示す図である。
【図６】図４に示す巻付状態において第１電極部および第２電極部が体表面に接触する位置とデルマトームとの関係を示す図である。
【図７】実施の形態に係る電気治療器を左膝の下方に巻付けた巻付状態を示す図である。
【図８】図７に示す巻付状態において第１電極部および第２電極部が体表面に接触する位置とデルマトームとの関係を示す図である。
【発明を実施するための形態】
【００２１】
以下、本開示の実施の形態について、図を参照して詳細に説明する。なお、以下に示す実施の形態においては、同一のまたは共通する部分について図中同一の符号を付し、その説明は繰り返さない。
【００２２】
図１は、実施の形態に係る電気治療器の巻付状態を示す斜視図である。図２は、実施の形態に係る電気治療器の分解斜視図である。図１および図２を参照して、実施の形態に係る電気治療器１００について説明する。
【００２３】
図１および図２に示すように、実施の形態に係る電気治療器１００は、本体部１０、帯状部材２０、第１電極部４１および第２電極部４２、ならびに、第１マーク部３１および第２マーク部３２を備える。
【００２４】
電気治療器１００は、たとえば、使用者の体表面に接触された第１電極部４１および第２電極部４２に低周波パルス電流を供給することで、使用者の右下肢または左下肢の痛みを緩和する低周波治療器である。低周波パルス電流の周波数は、たとえば、１Ｈｚ以上１２００Ｈｚ以下である。
【００２５】
帯状部材２０は、使用者の右下肢および左下肢のいずれにも巻付け可能に構成されている。帯状部材２０は、使用者に巻付け前の状態において長尺状の形状を有する。帯状部材２０は、平面視した場合に略矩形形状を有する。
【００２６】
帯状部材２０は、右下肢または左下肢に巻付けられた巻付状態において周方向となる長さ方向（ＤＲ１方向）、当該長さ方向に直交する幅方向（ＤＲ２方向）を有する。帯状部材２０は、巻付状態において使用者の体表面に対向する第１主面２０ａおよび当該第１主面２０ａの反対側に位置する第２主面２０ｂを有する。
【００２７】
帯状部材２０は、第１部材２１および第２部材２２を有する。第１部材２１および第２部材２２は、可撓性を有する。第１部材２１は、巻付状態において帯状部材２０の外周側を構成する部材である。巻付状態において外周側となる第１部材２１の表面（帯状部材２０の第２主面２０ｂ）は、後述する面ファスナ２５を係止可能に構成されている。第１部材２１には、後述する本体部１０の第１端子１１１および第２端子１１２に対応する位置に開口部２７，２８が設けられている。
【００２８】
第２部材２２は、巻付状態において帯状部材２０の内周側を構成する部材である。巻き付状態において内周側となる第２部材２２の表面（帯状部材２０の第１主面２０ａ）には、面ファスナ２５が設けられている。巻付状態において、面ファスナ２５が第２主面２０ｂに係止されることにより、帯状部材２０が右下肢または左下肢に固定される。
【００２９】
第２部材２２には、第１電極部４１および第２電極部４２に対応する位置に窓部２３，２４が設けられている。窓部２３，２４が設けられることにより、巻付状態において、第１電極部４１および第２電極部４２を使用者の体表面に接触させることができる。
【００３０】
本体部１０は、帯状部材２０に固定されている。本体部１０は、帯状部材２０の第２主面２０ｂ側に位置する。本体部１０は、電流供給部１１および筐体１２を含む。電流供給部１１は、第１電極部４１および第２電極部４２に電流を供給する。電流供給部１１は、回路基板１１０に搭載されている。
【００３１】
回路基板１１０には、電気治療器１００の各部の動作を制御する制御部が設けられている。回路基板１１０には、第１端子１１１および第２端子１１２が設けられている。第１端子１１１は、後述する配線部４３によって第１電極部４１に電気的に接続されている。第２端子１１２は、後述する配線部４４によって第２電極部４２に電気的に接続されている。
【００３２】
筐体１２は、箱型形状を有する。筐体１２は、内部に電流供給部１１および回路基板１１０を収容する。筐体１２は、帯状部材２０の第２主面２０ｂ側に配置されている。
【００３３】
長さ方向に平行な第１方向における筐体１２の一方側の端部は、第１方向において当該一方側に向かうにつれて第２主面２０ｂから遠ざかるように構成されている。これにより、筐体１２の一方側の端部と第２主面２０ｂとの間に隙間が形成される。
【００３４】
長さ方向に平行な第１方向における筐体１２の他方側の端部は、第１方向において当該他方側に向かうにつれて第２主面２０ｂから遠ざかるように構成されている。これにより、筐体１２の他方側の端部と第２主面２０ｂとの間に隙間が形成される。
【００３５】
筐体１２の正面側には、電源ボタン１３、および電気刺激強度の調整を行なうための調整ボタン１４が設けられている。
【００３６】
第１マーク部３１は、帯状部材２０を右下肢に巻付ける場合に、右下肢の特定の位置に位置合わせすることにより、第１電極部４１を右下肢の第１目標位置に導くとともに第２電極部を左下肢の第２目標位置に導くための目印である。
【００３７】
第２マーク部３２は、帯状部材２０を左下肢に巻付ける場合に、左下肢の特定の位置に位置合わせすることにより、第１電極部４１を左下肢の第３目標位置に導くとともに第２電極部４２を左下肢の第４目標位置に導くための目印である。
【００３８】
第１マーク部３１および第２マーク部３２は、帯状部材２０の第２主面２０ｂ上に設けられている。これにより、使用者が帯状部材２０を巻き付ける際に、第１マーク部３１および第２マーク部３２を容易に視認することができる。これにより、後述するように第１マーク部３１または第２マーク部３２を特定の位置に容易に位置合わせすることができる。
【００３９】
第１マーク部３１および第２マーク部３２は、幅方向における帯状部材２０の一端側に設けられている。第１マーク部３１および第２マーク部３２は、帯状部材２０の長さ方向にずれて配置されている。第１マーク部３１および第２マーク部３２は、帯状部材２０の長さ方向に沿って並んで配置されている。
【００４０】
第１マーク部３１は、筐体１２を正面から見た場合に筐体１２の一方側の端部に重なる部分の第２主面２０ｂ上に設けられている。上述のように、筐体１２の一方側の端部と第２主面２０ｂとの間には隙間が形成されている。当該隙間によって、使用者は、帯状部材２０を巻付ける際に、第１マーク部３１を視認することができる。この結果、巻付け時に、第１マーク部３１を右下肢の特定の位置に位置合わせすることができる。一方で、正面から見た場合に、第１マーク部３１が筐体１２によって隠れるため、デザイン性を向上させることができる。
【００４１】
第２マーク部３２は、筐体１２を正面から見た場合に筐体１２の他方側の端部に重なる部分の第２主面２０ｂ上に設けられている。上述のように、筐体１２の他方側の端部と第２主面２０ｂとの間には隙間が形成されている。当該隙間によって、使用者は、帯状部材２０を巻付ける際に、第２マーク部３２を視認することができる。この結果、巻付け時に、第２マーク部３２を左下肢の特定の位置に位置合わせすることができる。一方で、正面から見た場合に、第２マーク部３２が筐体１２によって隠すことができるため、デザイン性を向上させることができる。
【００４２】
第１マーク部３１の意匠と第２マーク部３２の意匠は、互いに異なる。第１マーク部３１は、たとえばオレンジ色の丸印の背景に白抜きのＲが記載された意匠を有する。第２マーク部３２は、たとえば水色の丸印の背景に白抜きのＬが記載された意匠を有する。
【００４３】
なお、第１マーク部３１および第２マーク部３２は、このような意匠に限定されず、区別される限り適宜変更することができる。たとえば、第１マーク部３１および第２マーク部３２は、互いに形状が異なるように形成されていてもよいし、互いに色が異なるように形成されていてもよい。
【００４４】
第１マーク部３１および第２マーク部３２は、第２主面２０ｂに印刷されることで形成されてもよいし、構造物が接着されることにより構成されてもよい。
【００４５】
第１電極部４１および第２電極部４２は、多角形状を有する。なお、多角形状には、角部が丸みを帯びたものも含まれるものとする。第１電極部４１および第２電極部４２は、たとえば、正方形形状を有する。第１電極部４１および第２電極部４２において、帯状部材２０の長さ方向に平行な長さは、たとえば４０ｍｍであり、帯状部材２０の幅方向に平行な長さが、たとえば４０ｍｍである。
【００４６】
なお、第１電極部４１および第２電極部４２は、多角形状に限定されず、楕円形、長円形、およびトラック形状等のオーバル形状、または、円形状であってもよい。
【００４７】
第１電極部４１および第２電極部４２は、帯状部材２０の第１部材２１に固定される。具体的には、第１電極部４１および第２電極部４２は、第２部材２２に向かい合う部分の第１部材２１の面に固定される。
【００４８】
第１電極部４１および第２電極部４２は、上記長さ方向に沿って並んで配置されている。第１電極部４１および第２電極部４２は、第２部材２２の窓部２３，２４から露出する。これにより、巻付状態において、第１電極部４１および第２電極部４２を使用者の体表面に接触させることができる。
【００４９】
第１電極部４１および第２電極部４２は、使用者に電流を流すための電極部である。第１電極部４１および第２電極部４２を使用者の体表面に接触させた状態で、第１電極部４１および第２電極部４２に電流を供給することにより、使用者に電流を流すことができる。
【００５０】
第１電極部４１および第２電極部４２は、配線部４３および配線部４４によって本体部１０の第１端子１１１および第２端子１１２に電気的に接続される。
【００５１】
長さ方向における配線部４３の一端は、第１電極部４１に接続される。長さ方向における配線部４３の他端は、第１端子１１１に接続される。長さ方向における配線部４４の一端は、第２端子１１２に接続される。長さ方向における配線部４４の他端は、第２電極部４２に接続される。
【００５２】
図３は、実施の形態に係る電気治療器における第１マーク部および第２マーク部と第１電極部および第２電極部の位置関係を示す平面図である。図３を参照して、第１マーク部３１および第２マーク部３２と第１電極部４１および第２電極部４２との位置関係について説明する。
【００５３】
図３に示すように、第１電極部４１は、上記長さ方向における第１マーク部３１と第２マーク部３２との間の中間部を通過し、上記幅方向に沿って延在する中間軸ＭＬに対して第１マーク部３１が位置する側に設けられている。
【００５４】
たとえば、第２マーク部３２側に位置する第１電極部４１の端部は、第１マーク部３１の中心を上記幅方向に沿って通過する第１中心線ＣＬ１上または第１中心線ＣＬ１に対して第２電極部４２が位置する側とは反対側に位置する。
【００５５】
第２電極部４２は、上記中間軸ＭＬに対して第２マーク部３２が位置する側に設けられている。たとえば、第１マーク部３１側に位置する第２電極部４２の端部は、第２マーク部３２の中心を上記幅方向に沿って通過する第２中心線ＣＬ２上または第２中心線ＣＬ２に対して第１電極部４１が位置する側とは反対側に位置する。
【００５６】
このように第１電極部４１および第２電極部４２が配置されることにより、後述するように、巻付状態において第１電極部４１および第２電極部４２を互いに異なるデルマトームに導きやすくなる。
【００５７】
たとえば、第２マーク部３２側に位置する第１電極部４１の端部と中間軸ＭＬとの上記長さ方向に沿った距離Ｄ１と、第１マーク部３１側に位置する第２電極部４２と中間軸ＭＬとの上記長さ方向に沿った距離Ｄ２とは、等しい。
【００５８】
なお、第１電極部４１および第２電極部４２は、中間軸ＭＬに対して非対称の位置に設けられていてもよい。
【００５９】
第２マーク部３２側に位置する第１電極部４１の端部と、第１マーク部３１側に位置する第２電極部４２の端部との上記長さ方向に沿った距離は、たとえば３０ｍｍである。
【００６０】
図４は、実施の形態に係る電気治療器を右膝の下方に巻付けた巻付状態を示す図である。図５は、図４に示す巻付け状態において第１電極部および第２電極部が体表面に接触する位置を示す図である。図４および図５を参照して、電気治療器１００を右膝の下方に巻付けた巻付け状態について説明する。
【００６１】
図４に示すように、電気治療器１００を右膝の下方に巻付ける際には、使用者の正面から見た場合に右膝蓋骨２１５の中心を右下肢の長さ方向に沿って通過する第１仮想線ＶＬ１に第１マーク部３１が重なるように、帯状部材２０を巻き付ける、この状態で、面ファスナ２５を第２主面２０ｂに係止する。
【００６２】
上記第１仮想線ＶＬ１に重なるように第１マーク部３１を位置合わせすることにより、第１電極部４１が第１目標位置に導かれ、第２電極部４２が第２目標位置に導かれる。
【００６３】
具体的には、第１電極部４１は、使用者の正面から見た場合に、上端が右膝蓋骨２１５の下端から１０ｍｍ下方に位置し、第２マーク部３２側に位置する端部が第１仮想線ＶＬ１上または当該第１仮想線ＶＬ１に近接するように、導かれる。
【００６４】
第２電極部４２は、使用者の正面から見た場合に、上端が右膝蓋骨２１５の下端から１０ｍｍ下方に位置し、第１マーク部３１側に位置する端部が、第１電極部４１の第２マーク部３２側に位置する端部から右下肢の内側に向けて３０ｍｍ離れて位置するように、導かれる。
【００６５】
図６は、図４に示す巻付状態において第１電極部および第２電極部が体表面に接触する位置とデルマトームとの関係を示す図である。
【００６６】
皮膚の表面は、デルマトーム（皮膚知覚帯）と呼ばれる特定の領域に分割されていることが知られている。下肢においては、皮膚の表面は、図６に示すように、デルマトームＬ２〜Ｌ５、Ｓ１に分割されている。各領域は、１つの脊髄神経根の感覚神経線維に支配されており、各領域での感覚情報は、感覚神経線維によって、それぞれ特定の脊髄神経根に伝達される。
【００６７】
第１マーク部３１を第１仮想線ＶＬ１に重なるように位置合わせすることにより、巻付状態において、第１電極部４１および第２電極部４２は、使用者の体表面上において互いに異なるデルマトームに接触する。具体的には、第１電極部４１は、第１目標位置となるデルマトームＬ４に接触し、第２電極部４２は、第２目標位置となるデルマトームＬ３に接触する。すなわち、第１電極部４１が接触するデルマトームと第２電極部４２が接触するデルマトームとが互いに異なる。第１電極部４１および第２電極部４２が互いに異なるデルマトームに接触する状態で電流を流すことにより、効果的に治療を行なうことができる。
【００６８】
なお、第１電極部４１は、全体的にデルマトームＬ４に接触することが好ましいが、大部分がデルマトームＬ４に接触する限り、一部がデルマトームＬ５に接触していてもよい。
【００６９】
上述のような位置に配置されるように、第１電極部４１および第２電極部４２を使用者の体表面に接触させて、電流を流すことにより、効果的に疼痛緩和効果を得ることができる。
【００７０】
図７は、実施の形態に係る電気治療器を左膝の下方に巻付けた巻付状態を示す図である。図８は、図７に示す巻付状態において第１電極部および第２電極部が体表面に接触する位置とデルマトームとの関係を示す図である。図７および図８を参照して、電気治療器１００を左膝の下方に巻付けた状態について説明する。
【００７１】
図７に示すように、電気治療器１００を左膝の下方に巻付ける際には、使用者の正面から見た場合に左膝蓋骨２２５の中心を左下肢の長さ方向に沿って通過する第２仮想線ＶＬ２に第２マーク部３２が重なるように、帯状部材２０を巻き付ける、この状態で、面ファスナ２５を第２主面２０ｂに係止する。
【００７２】
上記第２仮想線ＶＬ２に重なるように第２マーク部３２を位置合わせすることにより、第１電極部４１が第３目標位置に導かれ、第２電極部４２が第４目標位置に導かれる。
【００７３】
具体的には、図８に示すように、第２電極部４２は、使用者の正面から見た場合に、上端が左膝蓋骨２２５の下端から１０ｍｍ下方に位置し、第１マーク部３１側に位置する端部が第２仮想線ＶＬ２上または当該第２仮想線ＶＬ２に近接するように、導かれる。
【００７４】
第１電極部４１は、使用者の正面から見た場合に、上端が左膝蓋骨２２５の下端から１０ｍｍ下方に位置し、第２マーク部３２側に位置する端部が、第１電極部４１の第２マーク部３２側に位置する端部から右下肢の内側に向けて３０ｍｍ離れて位置するように、導かれる。
【００７５】
第２マーク部３２を第２仮想線ＶＬ２に重なるように位置合わせすることにより、巻付状態において、第１電極部４１および第２電極部４２は、使用者の体表面上において互いに異なるデルマトームに接触する。具体的には、第２電極部４２は、第４目標位置となるデルマトームＬ４に接触し、第１電極部４１は、第３目標位置となるデルマトームＬ３に接触する。第１電極部４１および第２電極部４２が互いに異なるデルマトームに接触する状態で電流を流すことにより、効果的に治療を行なうことができる。
【００７６】
なお、第２電極部４２は、全体的にデルマトームＬ４に接触することが好ましいが、大部分がデルマトームＬ４に接触する限り、一部がデルマトームＬ５に接触していてもよい。
【００７７】
上述のような位置に配置されるように、第１電極部４１および第２電極部４２を使用者の体表面に接触させて、電流を流すことにより、効果的に疼痛緩和効果を得ることができる。
【００７８】
以上のように、本実施の形態に係る電気治療器１００にあっては、帯状部材２０を右下肢に巻付ける際に、第１マーク部３１を右下肢の特定の位置に位置合わせすることにより、第１電極部４１を右下肢の第１目標位置に導くことができるとともに、第２電極部４２を右下肢の第２目標位置に導くことができる。また、帯状部材２０を左下肢に巻付ける際に、第２マーク部３２を左下肢の特定の位置に位置合わせすることにより、第１電極部４１を左下肢の第３目標位置に導くことができるとともに第２電極部４２を左下肢の第４目標位置に導くことができる。したがって、電気治療器１００は、左下肢と右下肢とで兼用する場合であっても、体表面の適切な箇所に電極部を接触することができる。
【００７９】
（他の変形例）
上述した実施の形態においては、帯状部材２０が膝の下方に巻き付けられる場合を例示して説明したがこれに限定されない。本発明の趣旨を逸脱しない範囲において、帯状部材２０は、太腿に巻き付けられてもよいし、脛に巻き付けられてもよい。
【００８０】
上述した実施の形態においては、第１マーク部３１および第２マーク部３２が、帯状部材２０の第２主面２０ｂ上に設けられる場合を例示して説明したがこれに限定されず、本体部１０に設けられていてもよい。この場合には、第１マーク部３１および第２マーク部３２は、第１マーク部３１および第２マーク部３２は、第２主面２０ｂに対向する筐体１２の対向面とは異なる部分の筐体１２の表面に設けられていてもよい。このような位置に第１マーク部３１および第２マーク部３２を設けた場合には、使用者に視認しやすくなり、第１マーク部３１または第２マーク部３２の位置合わせを容易に行なうことができる。
【００８１】
上述した実施の形態においては、第１マーク部３１および第２マーク部３２が、第２主面２０ｂに、印刷されたり接着されたりする場合を例示して説明したがこれに限定されず、ランプ等の光源によって構成されていてもよい。
【００８２】
上述した実施の形態においては、第１マーク部３１および第２マーク部３２が、幅方向における帯状部材の一端側に設けられる場合を例示して説明したが、これに限定されない。第１マーク部３１は、幅方向における帯状部材２０の一端側および他端側のいずれかに設けられていればよく、第２マーク部３２は、幅方向における帯状部材の一端側および他端側のいずれかに設けられていればよい。
【００８３】
たとえば、第１マーク部３１が幅方向における帯状部材２０の一端側に設けられており、第２マーク部３２が幅方向における帯状部材２０の他端側に設けられている場合においては、右下肢に帯状部材２０を巻き付ける際に、第１マーク部３１が上側に位置し第２マーク部３２が下側に位置する状態で第１マーク部３１を特定の位置（たとえば右膝蓋骨の下方）に位置合わせする。一方、左下肢に帯状部材２０を巻き付ける際には、帯状部材２０の上下を反転させて、第２マーク部３２が上側に位置し第１マーク部３１が下側に位置する状態で第２マーク部３２を特定の位置（たとえば左膝蓋骨の下方）に位置合わせする。このような態様においても、実施の形態にて説明した上記特徴部分を適宜組み合わせることができる。
【００８４】
［付記］
以上のように、本実施形態は以下のような開示を含む。
【００８５】
［構成１］
使用者の右下肢および左下肢のいずれにも巻付可能に構成された帯状部材（２０）と、
前記帯状部材（２０）が右下肢または左下肢に巻付けられた巻付状態において使用者の体表面に接触するように前記帯状部材（２０）に支持され、使用者に電流を流すための第１電極部（４１）および第２電極部（４２）と、
前記帯状部材（２０）を右下肢に巻付ける場合に、右下肢の特定の位置に位置合わせすることにより、前記第１電極部（４１）を右下肢の第１目標位置に導くとともに前記第２電極部（４２）を右下肢の第２目標位置に導くための第１マーク部（３１）と、
前記帯状部材（２０）を左下肢に巻付ける場合に、左下肢の特定の位置に位置合わせすることにより、前記第１電極部（４１）を左下肢の第３目標位置に導くとともに前記第２電極部（４２）を左下肢の第４目標位置に導くための第２マーク部（３２）と、を備える電気治療器（１００）。
【００８６】
［構成２］
前記帯状部材（２０）は、前記巻付状態において周方向となる長さ方向と、前記長さ方向に直交する幅方向を有し、
前記第１マーク部（３１）は、前記幅方向における前記帯状部材（２０）の一端側および他端側のいずれかに設けられ、
前記第２マーク部（３２）は、前記幅方向における前記帯状部材（２０）の前記一端側および前記他端側のいずれかに設けられる、構成１に記載の電気治療器。
【００８７】
［構成３］
前記第１マーク部（３１）および前記第２マーク部（３２）は、前記長さ方向にずれて配置されている、構成１または２に記載の電気治療器。
【００８８】
［構成４］
前記第１電極部（４１）は、前記長さ方向における前記第１マーク部（３１）と前記第２マーク部（３２）との間の中間部を通過し前記幅方向に沿って延在する中間軸に対して前記第１マーク部（３１）が位置する側に設けられ、
前記第２電極部（４２）は、前記中間軸に対して前記第２マーク部（３２）が位置する側に設けられる、構成３に記載の電気治療器（１００）。
【００８９】
［構成５］
前記第２マーク部（３２）側に位置する前記第１電極部（４１）の端部は、前記第１マーク部（４１）の中心を前記幅方向に沿って通過する第１中心線上または前記第１中心線に対して前記第２電極部（４２）が位置する側とは反対側に位置し、
前記第１マーク部（３１）側に位置する前記第２電極部（４２）の端部は、前記第２マーク部（３２）の中心を前記幅方向に沿って通過する第２中心線上または前記第２中心線に対して前記第１電極部（４１）が位置する側とは反対側に位置する、構成４に記載の電気治療器(１００）。
【００９０】
［構成６］
前記帯状部材（２０）は、前記巻付状態において使用者の体表面に対向する第１主面(２０ａ）と前記第１主面（２０ａ）と反対側に位置する第２主面(２０ｂ）とを含み、
前記第１マーク部（３１）および前記第２マーク部（３２）は、前記第２主面(２０ｂ）上に設けられている、構成１から５のいずれかに記載の電気治療器（１００）。
【００９１】
［構成７］
前記第１電極部（４１）および前記第２電極部（４２）に電流を供給するための電流供給部（１１）および内部に前記電流供給部（１１）を収容する筐体（１２）を含む本体部（１０）をさらに備え、
前記筐体（１２）は、前記第２主面（２０ｂ）側に配置され、
前記長さ方向に平行な第１方向における前記筐体（１２）の一方側の端部は、前記第１方向において前記一方側に向かうにつれて前記第２主面（２０ｂ）から遠ざかるように構成され、
前記第１方向における前記筐体（１２）の他方側の端部は、前記第１方向において前記他方側に向かうにつれて前記第２主面（２０ｂ）から遠ざかるように構成され、
前記第１マーク部（３１）は、前記筐体（１２）を正面から見た場合に前記筐体（１２）の前記一方側の前記端部に重なる部分の前記第２主面（２０ｂ）上に設けられ、
前記第２マーク部（３２）は、前記筐体（１２）を正面から見た場合に前記筐体（１２）の前記他方側の前記端部に重なる部分の前記第２主面（２０ｂ）上に設けられている、構成６に記載の電気治療器（１００）。
【００９２】
［構成８］
前記第１電極部（４１）および前記第２電極部（４２）に電流を供給するための電流供給部（１１）および内部に前記電流供給部（１１）を収容する筐体（１２）を含む本体部（１０）をさらに備え、
前記帯状部材（２０）は、前記巻付状態において使用者の体表面に対向する第１主面（２０ａ）と前記第１主面（２０ａ）と反対側に位置する第２主面（２０ｂ）とを含み、
前記筐体（１２）は、前記第２主面（２０ｂ）側に配置され、
前記第１マーク部（３１）および前記第２マーク部（３２）は、前記本体部（１０）に設けられている、構成１から５のいずれかに記載の電気治療器（１００）。
【００９３】
［構成９］
前記第１マーク部（３１）および前記第２マーク部（３２）は、前記第２主面（２０ａ）に対向する前記筐体（１２）の対向面とは異なる部分の前記筐体（１２）の表面に設けられている、構成８に記載の電気治療器（１００）。
【００９４】
［構成１０］
前記第１マーク部（３１）および前記第２マーク部（３２）は、互いに意匠が異なる、構成１から９のいずれかに記載の電気治療器（１００）。
【００９５】
［構成１１］
前記巻付状態において、前記第１電極部（４１）が使用者の体表面上において接触するデルマトームと前記第２電極部（４２）が使用者の体表面上において接触するデルマトームとが、異なる、構成１から１０のいずれかに記載の電気治療器。
【００９６】
［構成１２］
使用者の正面から見た場合に右膝蓋骨の中心を右下肢の長さ方向に沿って通過する第１仮想線に前記第１マーク部（３１）が重なるように、前記帯状部材（２０）を右膝の下方に巻付けた第１巻付状態において、前記第１電極部（４１）の上端および前記第２電極部（４２）の上端が右膝蓋骨の下端から１０ｍｍ下方に位置し、前記第２マーク部（３２）側に位置する前記第１電極部（４１）の端部が前記第１仮想線に重なり、前記第１マーク部（３１）側に位置する前記第２電極部（４２）の端部が、前記第２マーク部（３２）側に位置する前記第１電極部（４１）の端部から右下肢の内側に向けて３０ｍｍ離れて位置し、
使用者の正面から見た場合に左膝蓋骨の中心を左下肢の長さ方向に沿って通過する第２仮想線に前記第２マーク部（３２）が重なるように、前記帯状部材（２０）を左膝の下方に巻付けた第２巻付状態において、前記第１電極部（４１）の上端および前記第２電極部（４２）の上端が左膝蓋骨の下端から１０ｍｍ下方に位置し、前記第１マーク部（４１）側に位置する前記第２電極部（４２）の端部が前記第２仮想線に重なり、前記第２マーク部（３１）側に位置する前記第１電極部（４１）の端部が、前記第１マーク部（３１）側に位置する前記第２電極部（４２）の端部から左下肢の内側に向けて３０ｍｍ離れて位置する、構成１から１０のいずれか１項に記載の電気治療器。
【００９７】
以上、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００９８】
１０  本体部、１１  電流供給部、１２  筐体、１３  電源ボタン、１４  調整ボタン、２０  帯状部材、２０ａ  第１主面、２０ｂ  第２主面、２１  第１部材、２２  第２部材、２３，２４  窓部、２５  面ファスナ、２７，２８  開口部、３１  第１マーク部、３２  第２マーク部、４１  第１電極部、４２  第２電極部、４３，４４  配線部、１００  電気治療器、１１０  回路基板、１１１  第１端子、１１２  第２端子、２１５  右膝蓋骨、２２５  左膝蓋骨。
【図１】
2019103735.tif 000003
【図２】
2019103735.tif 000004
【図３】
2019103735.tif 000005
【図４】
2019103735.tif 000006
【図５】
2019103735.tif 000007
【図６】
2019103735.tif 000008
【図７】
2019103735.tif 000009
【図８】
2019103735.tif 000010